(57)【特許請求の範囲】
【請求項１】
パケットデータサービスを支援する移動通信システムにおける端末の上りリンクデータ伝送をスケジューリングする方法であって、
第１のＴＴＩ（Transmission Time Interval）でデータ伝送のための最大の許容伝送率の絶対値と、第１または第２の端末識別子を含む絶対伝送率情報を受信するステップと、
前記絶対伝送率情報に従って前記最大の許容伝送率を更新するステップと、
前記更新するステップ以後に、第２のＴＴＩで基地局から前記最大の許容伝送率の変化を示す相対伝送率情報を受信するステップと、
前記絶対伝送率情報が前記第１の端末識別子を有する場合に、前記相対伝送率情報に従って前記更新された最大の許容伝送率を更新するステップと、
前記第１のＴＴＩでデータを伝送しない場合に、前記相対伝送率情報を無視するステップと、を含み、
前記第１の端末識別子は、前記端末に対して固有に設定され、前記第２の端末識別子は前記端末を含むあらかじめ決定された端末グループに対して共通に設定されることを特徴とする方法。
【請求項２】
前記無視するステップは、前記絶対伝送率情報が前記第２の端末識別子を有することを特徴とする請求項１に記載の方法。
【請求項３】
前記絶対伝送率情報があらかじめ割り当てられた第１または第２の端末識別子を有するか否かを判断するステップをさらに含み、
前記判断するステップは、
前記絶対伝送率情報に付加されたマスキングされたサイクリックリダンダンシーチェック（ＣＲＣ）を検出するステップと、
前記マスキングされたＣＲＣを前記第１の端末識別子で逆マスキングするステップと、
前記第１の端末識別子で逆マスキングされたＣＲＣを使用して前記絶対伝送率情報を検査するステップと、
前記検査結果が良好な場合に、前記絶対伝送率情報が前記第２の端末識別子を有するものと判断するステップと、を含むことを特徴とする請求項１記載の方法。
【請求項４】
前記第２の端末識別子を有するものと判断するステップは、
前記検査の結果が不良な場合に、前記マスキングされたＣＲＣを前記第２の端末識別子で逆マスキングするステップと、
前記第２の端末識別子で逆マスキングされたＣＲＣを使用して前記絶対伝送率情報を検査するステップと、
前記第２の端末識別子を使用したＣＲＣ検査の結果が良好な場合に、前記絶対伝送率情報が前記第２の端末識別子を有するものと判断するステップと、を含むことを特徴とする請求項３記載の方法。
【請求項５】
前記第１の端末識別子は、前記最大の許容伝送率を、前記第１の端末識別子を有する前記絶対伝送率情報が示す目標伝送率に一度に変化させることを端末に指示することを特徴とする請求項１記載の方法。
【請求項６】
前記第１の端末識別子は、前記最大の許容伝送率を、前記第１の端末識別子を有する前記絶対伝送率情報が示す目標伝送率に到達するときまで、伝送時点ごとに段階的に変化させることを端末に指示することを特徴とする請求項１記載の方法。
【請求項７】
パケットデータサービスを支援する移動通信システムにおける上りリンクデータ伝送をスケジューリングする端末装置であって、
基地局から第１のＴＴＩ（Transmission Time Interval）にデータ伝送のための最大の許容伝送率の絶対値と、第１または第２の端末識別子を含む絶対伝送率情報を受信した後、前記基地局から第１のＴＴＩに前記最大の許容伝送率の変化を示す相対伝送率情報を受信する受信部と、
前記第１のＴＴＩで前記絶対伝送率情報に従って前記最大の許容伝送率を更新し、前記絶対伝送率情報が前記第１の端末識別子を有する場合に、前記第２のＴＴＩで前記相対伝送率情報に従って前記更新された最大の許容伝送率を更新し、前記第１のＴＴＩでデータを伝送しない場合に、前記第２のＴＴＩで前記相対伝送率情報を無視する制御器と、を含み、
前記第１の端末識別子は、前記端末に対して固有に設定され、前記第２の端末識別子は前記端末を含むあらかじめ決定された端末グループに対して共通に設定されることを特徴とする端末装置。
【請求項８】
前記制御器は、前記絶対伝送率情報が前記第２の端末識別子を有する場合に、前記第２のＴＴＩで前記相対伝送率情報を無視することを特徴とする請求項７記載の端末装置。
【請求項９】
前記制御器は、
前記絶対伝送率情報があらかじめ割り当てられた第１または第２の端末識別子を有するか否かを判断し、
前記絶対伝送率情報に付加されたマスキングされたサイクリックリダンダンシーチェック（ＣＲＣ）を検出するＣＲＣ検出器と、
前記マスキングされたＣＲＣを前記第１の端末識別子で逆マスキングし、前記第１の端末識別子で逆マスキングされたＣＲＣを使用して前記絶対伝送率情報を検査し、前記検査結果が良好な場合に、前記絶対伝送率情報が前記第２の端末識別子を有するものと判断するＣＲＣ検査器と、を含むことを特徴とする請求項７記載の端末装置。
【請求項１０】
前記ＣＲＣ検査器は、
前記検査の結果が不良な場合に、前記マスキングされたＣＲＣを前記第２の端末識別子で逆マスキングし、前記第２の端末識別子で逆マスキングされたＣＲＣを使用して前記絶対伝送率情報を検査して、前記第２の端末識別子を使用したＣＲＣ検査の結果が良好な場合に、前記絶対伝送率情報が前記第２の端末識別子を有するものと判断することを特徴とする請求項９記載の端末装置。
【請求項１１】
前記第１の端末識別子は、前記最大の許容伝送率を、前記第１の端末識別子を有する前記絶対伝送率情報が示す目標伝送率に一度に変化させることを端末に指示することを特徴とする請求項７記載の端末装置。
【請求項１２】
前記第１の端末識別子は、前記最大の許容伝送率を、前記第１の端末識別子を有する前記絶対伝送率情報が示す目標伝送率に到達するときまで、伝送時点ごとに段階的に変化させることを端末に指示することを特徴とする請求項７記載の端末装置。
【請求項１３】
パケットデータサービスを支援する移動通信システムの基地局における上りリンクデータ伝送をスケジューリングする方法であって、
上りリンクデータ伝送のスケジューリングのための第１及び第２の端末識別子を端末に割り当てるステップと、
第１の最大の許容伝送率を決定し、前記第１の最大の許容伝送率を前記端末に通知するために前記第１の端末識別子を選択するステップと、
前記第１の最大の許容伝送率の絶対値を有する第１の絶対伝送率情報を生成するステップと、
前記第１の端末識別子を有する前記第１の絶対伝送率情報を第１のＴＴＩ（Transmission Time Interval）に伝送するステップと、
最大の許容伝送率の変化を示す相対伝送率情報を生成して第２のＴＴＩに伝送するステップと、を含み、
前記第１の端末識別子を有する前記第１の絶対伝送率情報は、前記第２のＴＴＩで前記相対伝送率情報が前記端末に使用されることを示し、
前記端末が前記第１のＴＴＩでデータを伝送しない場合に、前記相対伝送率情報が前記端末で使用されなく、
前記第１の端末識別子は、前記端末に対して固有に設定され、前記第２の端末識別子は前記端末を含むあらかじめ決定された端末グループに対して共通に設定されることを特徴とする方法。
【請求項１４】
第２の最大の許容伝送率を決定し、前記第２の最大の許容伝送率を前記端末に通知するために前記第２の端末識別子を選択するステップと、
前記第２の最大の許容伝送率の絶対値を有する第２の絶対伝送率情報を生成するステップと、
前記第１のＴＴＩで前記第２の端末識別子を有する前記第２の絶対伝送率情報を伝送するステップと、をさらに含み、
前記第１のＴＴＩで前記第２の絶対伝送率情報が伝送された場合に、前記相対伝送率情報が前記第２のＴＴＩで前記端末で使用されないことを特徴とする請求項１３に記載の方法。
【請求項１５】
前記第１の端末識別子と第２の端末識別子のうちいずれか一つが第３の最大の許容伝送率を前記端末に通知するために使用されないと、以前の最大の許容伝送率から前記第３の最大の許容伝送率までの変化を示す相対伝送率情報を伝送するステップをさらに含むことを特徴とする請求項１４記載の方法。
【請求項１６】
前記第１の端末識別子は、前記第１の最大の許容伝送率を、前記第１の端末識別子を有する前記第１の絶対伝送率情報が示す目標伝送率に一度に変化させることを前記端末に指示することを特徴とする請求項１３記載の方法。
【請求項１７】
前記第２の端末識別子は、前記最大の許容伝送率を、前記第２の端末識別子を有する前記第２の絶対伝送率情報が示す目標伝送率に到達するときまで、伝送時点ごとに段階的に変化させることを前記端末に指示することを特徴とする請求項１４記載の方法。
【請求項１８】
前記第１または第２の絶対伝送率情報のためのサイクリックリダンダンシーチェック（ＣＲＣ）を生成するステップと、
前記第１または第２の端末識別子で前記生成されたＣＲＣをマスキングするステップと、
前記マスキングされたＣＲＣを前記第１または第２の絶対伝送率情報に追加するステップと、をさらに含むことを特徴とする請求項１４記載の方法。
【請求項１９】
パケットデータサービスを支援する移動通信システムにおける上りリンクデータ伝送をスケジューリングする基地局装置であって、
上りリンクデータ伝送をスケジューリングするために端末に割り当てられた第１の端末識別子を管理し、最大の許容伝送率を端末に通知するために前記第１の端末識別子を選択するスケジューラーと、
前記スケジューラーにより決定された最大の許容伝送率を示す第１の最大の許容伝送率の絶対値と、第１または第２の端末識別子を有する第１の絶対伝送率情報を生成し、最大の許容伝送率の変化を示す相対伝送率情報を生成する伝送率情報生成器と、
第１のＴＴＩ（Transmission Time Interval）で前記第１の端末識別子を有する前記第１の絶対伝送率情報を伝送し、第２のＴＴＩで前記相対伝送率情報を伝送する送信器と、を含み、
前記第１の端末識別子を有する前記第１の絶対伝送率情報は、前記第２のＴＴＩで前記相対伝送率情報が前記端末に適用されることを示すために使用され、
前記端末が前記第１のＴＴＩでデータを伝送しない場合に、前記相対伝送率情報が前記端末で使用されなく、
前記第１の端末識別子は、前記端末に対して固有に設定され、前記第２の端末識別子は前記端末を含むあらかじめ決定された端末グループに対して共通に設定されることを特徴とする基地局装置。
【請求項２０】
前記スケジューラーは、第２の最大の許容伝送率を決定し、前記第２の最大の許容伝送率を前記端末に通知するために第２の端末識別子を選択し、
前記伝送率情報生成器は、前記第２の最大の許容伝送率の絶対値を有する第２の絶対伝送率情報を生成し、
前記送信器は、前記第１のＴＴＩで前記第２の端末識別子を有する前記第２の絶対伝送率情報を伝送し、
前記第１のＴＴＩで前記第２の絶対伝送率情報が伝送された場合に、前記相対伝送率情報が前記第２のＴＴＩに前記端末で使用されないことを特徴とする請求項１９に記載の基地局装置。
【請求項２１】
前記送信器は、
前記第１の端末識別子と第２の端末識別子のうちいずれか一つが第３の最大の許容伝送率を前記端末に通知するために使用されないと、以前の最大の許容伝送率から前記第３最大の許容伝送率までの変化を示す相対伝送率情報を伝送することを特徴とする請求項２０記載の基地局装置。
【請求項２２】
前記第１の端末識別子は、前記第１の最大の許容伝送率を、前記第１の端末識別子を有する前記第１の絶対伝送率情報が示す目標伝送率に一度に変化させることを前記端末に指示することを特徴とする請求項２０記載の基地局装置。
【請求項２３】
前記第２の端末識別子は、前記最大の許容伝送率を、前記第２の端末識別子を有する前記第２の絶対伝送率情報が示す目標伝送率に到達するときまで、伝送時点ごとに段階的に変化させることを前記端末に指示することを特徴とする請求項２０記載の基地局装置。
【請求項２４】
前記第１または第２の絶対伝送率情報のためのＣＲＣ(Cyclic Redundancy Check codes)を生成し、前記第１または第２の端末識別子で前記生成されたＣＲＣをマスキングするＣＲＣ生成器と、
前記マスキングされたＣＲＣを前記第１または第２の絶対伝送率情報に追加するＣＲＣ追加器と、をさらに含むことを特徴とする請求項２１記載の基地局装置。
【発明の詳細な説明】
【技術分野】
【０００１】
本発明は、上りリンクパケットデータサービスを支援する移動通信システムに関し、特に、拡張された上りリンク専用伝送チャンネル（Enhanced  Uplink  Dedicated  transport  Channel）を有する端末の上りリンクデータの伝送をスケジューリングする方法及び装置に関する。
【背景技術】
【０００２】
ヨーロッパ型移動通信システムである移動体通信用グローバルシステム（Global  System  for  Mobile  Communications：ＧＳＭ）に基づき、広帯域符号分割多元接続（Wideband  Code  Division  Multiple  Access：以下、ＷＣＤＭＡと称する）を使用する第３世代移動通信システムであるユニバーサル移動体通信サービス（Universal  Mobile  Telecommunication  Service：ＵＭＴＳ）システムは、移動電話又はコンピュータユーザが世界中のどこにいるかに無関係に、パケットに基づくテキスト、デジタル化された音声又はビデオ、及びマルチメディアデータを２Ｍｂｐｓ以上の高速で伝送することができる一貫したサービスを提供する。ＵＭＴＳは、インターネットプロトコル（Internet  Protocol：ＩＰ）のようなパケットプロトコルを使用する“パケット交換方式の接続”と呼ばれる仮想接続の概念を使用し、ネットワーク内の他のどの終端でも常に接続することができる。
【０００３】
特に、ＵＭＴＳシステムでは、ＵＥからＮｏｄｅＢへの上りリンク（Uplink；ＵＬ）通信において、パケット伝送の性能を向上させることができるように、拡張された上りリンク専用チャンネル（Enhanced  Uplink  Dedicated  Channel：以下、ＥＵＤＣＨ又はＥ−ＤＣＨと称する）を使用する。安定した高速のデータ伝送を支援するために、Ｅ−ＤＣＨは、適応変調及び符号化（Adaptive  Modulation  and  Coding：ＡＭＣ）、複合自動再送要求（Hybrid  Automatic  Retransmission  Request：ＨＡＲＱ）、及び基地局制御スケジューリングの技術を支援する。
【０００４】
ＡＭＣは、基地局とＵＥとの間のチャンネル状態に従ってデータチャンネルの変調方式及びコーディング方式を決定することによって、資源の使用効率を向上させる技術である。変調方式とコーディング方式との組合せは、ＭＣＳ（Modulation  and  Coding  Scheme）と呼ばれ、支援可能な変調方式及びコーディング方式に従って多様なＭＣＳレベルを定義することができる。ＡＭＣは、ＭＣＳのレベルをＵＥと基地局との間のチャンネル状態に従って適応的に決定することによって、資源の使用効率を向上させる。
【０００５】
ＨＡＲＱは、初期に送信されたデータパケットにエラーが発生した場合に、上記エラーパケットを補償するために、パケットを再送信する方式を意味する。上記ＨＡＲＱ方式は、エラーが発生すると、最初に送信されたデータパケットと同一のフォーマットのパケットを再送信するチェイスコンバイニング方式（Chase  Combining：以下、ＣＣと称する）と、エラーが発生すると、最初に送信されたデータパケットとは異なるフォーマットのパケットを再送信する増分冗長（Incremental  Redundancy：以下、ＩＲと称する）方式とに区分することができる。
【０００６】
基地局制御スケジューリングは、基地局がＥ−ＤＣＨを介して上りリンクデータの送信に対するデータ送信率及び可能なデータ送信率の上限値を決定し、上記決定されたデータ送信率情報をＵＥへ伝送すると、ＵＥは、上記データ送信率情報に基づいて、使用可能なＥ−ＤＣＨのデータ送信率を決定する。
【０００７】
図１は、従来の無線通信システムにおいて、Ｅ−ＤＣＨを介した上りリンクパケットの伝送を示す図である。図１において、参照符号１１０は、Ｅ−ＤＣＨを支援する基地局、すなわち、ＮｏｄｅＢを示し、参照符号１０１ないし１０４は、Ｅ−ＤＣＨを使用しているＵＥを示す。ＵＥ１０１乃至１０４の各々は、Ｅ−ＤＣＨ１１１乃至１１４を介して基地局１１０へデータを伝送する。
【０００８】
基地局１１０は、Ｅ−ＤＣＨを使用するＵＥ１０１乃至１０４のデータバッファ状態、要請データ送信率、又は、チャンネル状況情報に基づいて、各ＵＥにＥ−ＤＣＨデータを伝送することができるか否かを通知するか、又は、Ｅ−ＤＣＨデータ送信率を示すスケジューリング許容情報（SchedulingGrants：ＳＧ）を伝送する。このような動作を上りリンクデータ伝送のスケジューリングと呼ぶ。上記スケジューリングは、システム全体の性能を向上させるために、基地局１１０の測定雑音増加（NoiseRise）値が目標値を超えないようにしつつ、基地局１１０から遠く離れたＵＥ（例えば、１０３及び１０４）には、低いデータ送信率を割り当て、基地局１１０に近く位置したＵＥ（例えば、１０１及び１０２）には、高いデータ送信率を割り当てる方式にて遂行することができる。ＵＥ１０１乃至１０４は、上記スケジューリング許容情報に従って、Ｅ−ＤＣＨデータの最大の許容送信率を決定し、上記決定された送信率でＥ−ＤＣＨデータを伝送する。
【０００９】
上りリンクで相互に異なる端末（UserEquipment：ＵＥ）が送信した上りリンク信号は、相互間に同期が保持されないので、直交性がなくて相互間に干渉として作用する。これによって、基地局が受信する上りリンク信号が多くなるほど、特定のＵＥの上りリンク信号に対する干渉の量も多くなるので、受信性能が劣化する。これを克服するためには、上記特定のＵＥの上りリンク送信電力を大きくすることもできる。しかしながら、上記増加された上りリンク送信電力がさらに他の上りリンク信号に対して干渉として作用して、基地局の全体の受信性能を劣化させる。従って、基地局が受信性能を保証しつつ受信することができる上りリンク信号の全体の電力は制限される。ＲＯＴ（RiseOverThermal）は、基地局が上りリンクで使用した無線資源を示し、式（１）のように定義される。
【００１０】
【数１】
0004920721.tif 000002
式（１）において、上記Ｉｏは、基地局の全体の受信帯域を介した電力スペクトル密度（Power  spectral  density）、すなわち、基地局が受信したすべての上りリンク信号の全体電力を示す。上記Ｎｏは、基地局の熱雑音電力スペクトル密度を示す。従って、許容された最大ＲＯＴは、基地局に使用可能な全体の上りリンク無線資源を示す。
【００１１】
全体のＲＯＴは、セル間の干渉、音声トラヒック、及びＥ−ＤＣＨトラヒックの和で表現される。基地局制御スケジューリングを使用すると、複数のＵＥが高いデータ送信率のパケットを同時に伝送する現象を防止することができ、従って、全体のＲＯＴを目標（target）ＲＯＴ以下に保持して受信性能を常に保証することができる。すなわち、特定の
ＵＥに高いデータ送信率を許容する場合に、基地局制御スケジューリングにおいて、他のＵＥには、高いデータ送信率を許容しない。結果的に、全体のＲＯＴは、目標ＲＯＴを超過しない。
【００１２】
１つのセルでＥ−ＤＣＨサービスを遂行する複数のＵＥが存在する場合に、基地局制御スケジューリングにおいて、スケジューリング許容情報に対する下りリンクシグナリングのオーバーヘッドが考慮されなければならない。例えば、上記Ｅ−ＤＣＨを使用するＵＥの数が多い場合に、基地局の下りリンク伝送電力の消費が増加し、上記スケジューリング許容情報を受信するためには、下りリンクチャンネルコードの数が増加する。結果的に、全体のセルで、下りリンクの容量を減少させる。
【００１３】
従って、基地局制御スケジューリングのためのスケジューリング許容情報を伝送する場合に、下りリンク容量を増加させるために、下りリンクシグナリングオーバーヘッドを減少させるための技術を必要とする。
【先行技術文献】
【非特許文献】
【００１４】
【非特許文献１】Ericsson，E-DCH scheduling -UE grant procedures，3GPP TSG-RAN WG1 #38bis，２００４年  ９月２４日，R1-041185，ＵＲＬ，http://www.3gpp.org/ftp/tsg_ran/WG1_RL1/TSGR1_38bis/Docs/R1-041185.zip
【非特許文献２】Qualcomm Europe，TP on downlink control channle in support of E-DCH，3GPP TSG-RAN1 #38bis，２００４年  ９月２４日，R1-041245，ＵＲＬ，http://www.3gpp.org/ftp/tsg_ran/WG1_RL1/TSGR1_38bis/Docs/R1-041245.zip
【発明の概要】
【発明が解決しようとする課題】
【００１５】
上記背景に鑑みて、本発明の目的は、基地局が上りリンクパケットデータサービスをスケジューリングしつつ発生するシグナリングオーバーヘッドを最小化する方法及び装置を提供することにある。
本発明の他の目的は、上りリンク専用チャンネルを介して上りリンクパケットデータサービスを提供する基地局が、下りリンクシグナリングオーバーヘッドを減少させつつ、共通識別子及び専用識別子を使用して効果的にスケジューリング許容情報を伝送する方法及び装置を提供することにある。
【００１６】
本発明のまた他の目的は、基地局が下りリンクシグナリングオーバーヘッドを最小化させつつ伝送するスケジューリング許容情報をＵＥで効果的に受信する方法及び装置を提供することにある。
本発明のさらなる目的は、上りリンクパケットデータサービスを支援する移動通信システムにおいて、下りリンクシグナリングオーバーヘッドを増加させることなく、上りリンクデータを制御する方法及び装置を提供することにある。
【課題を解決するための手段】
【００１７】
このような目的を達成するために、本発明の１つの特徴によれば、パケットデータサービスを支援する移動通信システムにおける端末の上りリンクデータ伝送をスケジューリングする方法であって、データ伝送のための最大の許容伝送率の絶対値を示す絶対送信率情報を受信するステップと、前記絶対送信率情報があらかじめ割り当てられた第１または第２の端末識別子を有するか否か判断するステップと、前記絶対送信率情報に従って前記最大の許容伝送率を更新するステップと、前記更新するステップ以後に、基地局から前記最大の許容伝送率の変化を示す相対伝送率情報を受信するステップと、前記絶対送信率情報が前記第１の端末識別子を有する場合に、前記相対伝送率情報に従って前記変化された伝送率を更新するステップと、を含むことを特徴とする。
【００１８】
本発明の他の１つの特徴によれば、パケットデータサービスを支援する移動通信システムにおける上りリンクデータ伝送をスケジューリングする端末装置であって、基地局からデータ伝送のための最大の許容伝送率の絶対値を示す絶対送信率情報を受信した後、前記基地局から前記最大の許容伝送率の変化を示す相対伝送率情報を受信する受信部と、前記絶対送信率情報があらかじめ割り当てられた第１または第２の端末識別子を有するか否か判断し、前記絶対送信率情報に従って前記最大の許容伝送率を更新し、前記絶対送信率情報が前記第１の端末識別子を有する場合に、以後の伝送時点に前記相対伝送率情報に従って前記変化された伝送率を更新する制御器と、を含むことを特徴とする。
【００１９】
本発明のまた他の１つの特徴によれば、パケットデータサービスを支援する移動通信システムの基地局における上りリンクデータ伝送をスケジューリングする方法であって、上りリンクデータ伝送のスケジューリングのための第１及び第２の端末識別子を端末に割り当てるステップと、第１の最大の許容伝送率を決定し、前記第１の最大の許容伝送率を前記端末に通知するために前記第１の端末識別子を選択するステップと、前記第１の最大の許容伝送率の絶対値を有する第１の絶対送信率情報を生成するステップと、前記第１の端末識別子を有する前記第１の絶対送信率情報を伝送するステップと、を含み、前記第１の端末識別子を有する前記第１の絶対送信率情報は、第１の最大の許容伝送率の変化が前記端末に適用されることを示す相対伝送率情報が使用されることを示すことを特徴とする。
【００２０】
本発明のさらなる特徴によれば、パケットデータサービスを支援する移動通信システムにおける上りリンクデータ伝送をスケジューリングする基地局装置であって、上りリンクデータ伝送をスケジューリングするために端末に割り当てられた第１の端末識別子を管理し、最大の許容伝送率を端末に通知するために前記第１の端末識別子を選択するスケジューラーと、前記スケジューラーにより決定された最大の許容伝送率を示す第１の最大の許容伝送率の絶対値を有する第１の絶対送信率情報を生成する伝送率情報生成器と、前記第１の端末識別子を有する前記第１の絶対送信率情報を伝送する送信器と、を含み、前記第１の端末識別子を有する前記第１の絶対送信率情報は、前記第１の最大の許容伝送率の変化を示す相対伝送率情報が前記端末に適用されることを示すために使用されることを特徴とする。
本発明のさらなる特徴によれば、パケットデータサービスを支援する移動通信システムにおける上りリンクデータ伝送をスケジューリングする方法であって、最大の許容伝送率の絶対値を示す絶対送信率情報と、最大の許容伝送率の変化を示す相対伝送率情報のうち一つを含むスケジューリング情報を受信するステップと、前記絶対送信率情報があらかじめ割り当てられた第１または第２の端末識別子を有するか否か判断するステップと、前記絶対送信率情報が前記第１の端末識別子と第２の端末識別子のうち少なくとも一つを有しないと、以前の最大の許容伝送率を前記最大の許容伝送率で維持するステップと、を含むことを特徴とする。
本発明のさらなる特徴によれば、パケットデータサービスを支援する移動通信システムにおける上りリンクデータ伝送をスケジューリングする装置であって、最大の許容伝送率の絶対値を示す絶対送信率情報と、最大の許容伝送率の変化を示す相対伝送率情報のうち一つを含むスケジューリング情報を受信する受信器と、前記絶対送信率情報があらかじめ割り当てられた第１または第２の端末識別子を有するか否か判断し、前記絶対送信率情報が前記第１の端末識別子と第２の端末識別子のうち少なくとも一つを有しないと、以前の最大の許容伝送率を前記最大の許容伝送率で維持する制御器と、を含むことを特徴とする。
【発明の効果】
【００２１】
本発明の実施形態は、上りリンクパケットデータサービスのために、絶対送信率情報及び相対送信率情報を效率的に伝送する。従って、基地局によって割り当てられた最大の許容送信率をＵＥへ通知するための下りリンクシグナリングオーバーヘッドを減少させ、上記絶対送信率情報をシグナリングする場合に発生する干渉を最小にすることができる。
【図面の簡単な説明】
【００２２】
【図１】典型的な無線通信システムにおけるＥ−ＤＣＨを介した上りリンクデータの伝送を示す図である。
【図２Ａ】本発明の望ましい実施形態によるすべてのＵＥへの個別的なスケジューリング許容情報の送信と一部のＵＥへの共通的なスケジューリング許容情報の送信とを比較した図である。
【図２Ｂ】本発明の望ましい実施形態によるすべてのＵＥへの個別的なスケジューリング許容情報の送信と一部のＵＥへの共通的なスケジューリング許容情報の送信とを比較した図である。
【図３】本発明の第１実施形態によるＡＧを伝達するためのＥ−ＡＧＣＨのデータ構成を示す図である。
【図４】本発明の第１実施形態によるＵＥの動作を示すフローチャートである。
【図５】本発明の第１実施形態による基地局の送信装置の構成を示すブロック図である
【図６】本発明の第１実施形態によるＵＥの受信装置の構成を示すブロック図である。
【図７】本発明の第２実施形態によるＵＥの動作を示すフローチャートである。
【図８】本発明の第２実施形態による基地局の送信装置の構成を示すブロック図である。
【図９】本発明の第２実施形態によるＵＥの受信装置の構成を示すブロック図である。
【図１０】本発明の第３実施形態による下りリンクシグナリング情報を伝送するためのＥ−ＳＧＣＨのデータ構成を示す図である。
【図１１】本発明の第４実施形態によるＵＥの動作を示すフローチャートである。
【図１２】本発明の第４実施形態による上りリンク送信率を決定するＵＥの動作を示すフローチャートである。
【図１３】本発明の第５実施形態による上りリンク送信率を決定するＵＥの動作を示すフローチャートである。
【図１４】本発明の第５実施形態によるＵＥの受信装置の構成を示すブロック図である。
【発明を実施するための形態】
【００２３】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。そして、後述する用語は、本発明での機能を考慮して定義された用語であり、これは、使用者及び運用者の意図又は慣例に従って変わっても良い。従って、その用語は、本発明の全体の内容に基づいて定義されなければならない。
【００２４】
下記に説明する本発明の主な特徴は、ＷＣＤＭＡシステムのＥ−ＤＣＨサービスのように、基地局制御スケジューリングを支援する上りリンクパケットデータサービスにおいて、下りリンクシグナリングオーバーヘッドを可能な限り増加させないつつ、基地局が下りリンクを介してＵＥへスケジューリング許容情報を伝送し、ＵＥが上記スケジューリング許容情報を受信する。
【００２５】
まず、２種類の基地局制御スケジューリング方式について説明する。１つは、ＵＥのデータ送信率のみを増加又は減少させる送信率スケジューリング（Rate  scheduling）であり、他の１つは、ＵＥのデータ送信率と共にＵＥの送受信時点まで制御する時送信率スケジューリング（Time  and  rate  scheduling）である。
【００２６】
送信率スケジューリング方式において、ＵＥは、伝送時点（Transport  Time  Interval：以下、ＴＴＩと称する）ごとにデータを伝送することができ、データ送信率が基地局によって制御されるので、基地局は、すべてのＵＥにスケジューリング許容情報をＴＴＩごとに送信しなければならない。このとき、上記スケジューリング許容情報がデータ送信率の絶対値を示す絶対許容情報である場合に、シグナリングオーバーヘッドが非常に大きくなる。従って、基地局は、ＡＧの代わりに、ＵＥへ送信率の増加（ＵＰ）／減少（ＤＯＷＮ）／保持（ＫＥＥＰ）を示す相対送信率情報（Relative  Grant：以下、ＲＧと称する）をシグナリングする。一般に、上記ＲＧは、１ビットの情報である。上記ＲＧを保持に設定する場合に、基地局は、不連続伝送モード（Discontinuous  transmission：ＤＴＸ）で上記ＲＧを伝送する。送信率スケジューリング方式は、１つのＵＥに対して一瞬間に基地局が制御することができる送信率の変化量が制限される。すなわち、ＵＥが非常に高い送信率を要求する場合に、基地局は、複数のＴＴＩの間に、ＵＥに上記ＲＧを複数回シグナリングすることによって、上記ＵＥの送信率を段階的に増加させる。従って、ＵＥは、目的の送信率を得るための時間遅延が大きい。
【００２７】
上記ＲＧを運搬する物理チャンネルとしては、専用チャンネル（Dedicated  Channel）と共通チャンネル（Common  channel）とがある。送信率スケジューリング方式において、すべてのＵＥは、ＴＴＩごとにＲＧを受信する。従って、専用チャンネルがＲＧを運搬する場合には、各ＵＥを識別するために、ＵＥの固有のチャンネルコード（channelization  code）を割り当てる符号分割多重化（Code  Division  Multiple：ＣＤＭ）又はＵＥの固有の伝送時点（timing）を割り当てる時間分割多重化（Time  Division  Multiple：ＴＤＭ）を使用することができる。ＣＤＭ方式のためのチャンネルコードは、ＵＥを識別することができるように、相互に直交する特性を有する。
【００２８】
時送信率スケジューリング方式において、ＵＥは、スケジューリング許容情報として基地局から絶対送信率情報（absolute  grant：以下、ＡＧと称する）を受信すると、上記ＡＧに基づいてＥ−ＤＣＨトラヒックを伝送する。ＵＥが上記ＡＧを受信しない場合には、Ｅ−ＤＣＨトラヒックを伝送しない。時送信率スケジューリング方式において、上記ＡＧは、送信率の絶対値を示す。従って、基地局は、ＴＴＩごとに特定の送信率をＵＥに割り当てることができる。例えば、ＵＥが８ｋｂｐｓ〜１Ｍｂｐｓの送信率を支援する場合に、基地局は、１つのＴＴＩでは、伝送のために８ｋｂｐｓをＵＥに割り当て、次のＴＴＩでは、伝送のために１ＭｂｐｓをＵＥに割り当てることができる。基地局がスケジューリング許容情報をＵＥへ伝送しない場合には、ＵＥのＥ−ＤＣＨ伝送を遮断するか、又は、最小の送信率でデータを伝送する自律伝送（autonomous  transmission）モードに転換する。上記時送信率スケジューリングは、送信率スケジューリングとは異なって、１つのスケジューリング許容情報によって目標とするデータ送信率（Target  data  rate）で一度に増加又は減少が可能である。これによって、スケジューリングに従う時間遅延を低減させることができる。
【００２９】
上記ＡＧは、共通チャンネルを介して運搬され、端末識別子（ＵＥ−ＩＤ）を用いてＵ
Ｅによって識別される。上記ＵＥ−ＩＤは、ＣＲＣ（Cyclic  Redundancy  Check  code）のようなエラー検出情報でマスキングされるので、各ＡＧは、ＵＥ−ＩＤに従う固有のＣＲＣ（これをＵＥ−ＩＤ＿ｓｐｅｃｉｆｉｃＣＲＣと称する）及び該当ＵＥに最大の許容送信率の絶対値を含む。ＵＥは、スケジューリング周期ごとに共通チャンネルを介して受信されたスケジューリング許容情報のＣＲＣ検査を遂行する。上記スケジューリング許容情報がＵＥのためのものではない場合に、上記ＣＲＣ検査に失敗して、ＵＥは、上記スケジューリング許容情報を廃棄する。一方、上記ＣＲＣ検査に成功すると、ＵＥは、上記スケジューリング許容情報に基づいて、上記上りリンクデータ送信率を調整する。
次のような場合に、基地局がスケジューリング許容情報を伝送しなければならないＵＥ
の数を大きく増加させる。
【００３０】
（１）セル内で干渉が突然に増加して全体のＲＯＴが増加する場合
（２）セル内で優先順位が高いＵＥが高いデータ送信率を要求して、他の多くのＵＥ
の送信率を同時に減少させる場合
（３）十分なセル容量によって、多くのＵＥから上りリンクデータを同時に受信することができる場合
【００３１】
上述した場合において、上記２つのスケジューリング方式は、スケジューリング許容情報のシグナリングによる下りリンクオーバーヘッドを考慮しなければならない。上記送信率スケジューリング方式において、すべてのＵＥは、上記ＲＧを受信するためのコードチャンネルを常に有しているので、ＵＥの数が増加するとしても、新たなチャンネルコードを必要としない。しかしながら、上記ＲＧのシグナリングのための下りリンク伝送電力が増加する。一方、時送信率スケジューリング方式において、１つの時点でスケジューリングしなければならないＵＥの数が多くなると、新たなチャンネルコードを必要とするので、下りリンクのコード資源が不足するようになる。しかしながら、全体のセルで使用可能なコード資源が制限されているので、結果的に、上記セルの下りリンク容量を減少させる、という問題がある。
【００３２】
このような下りリンクシグナリングオーバーヘッドを減少させるための他の１つのスケジューリング方式において、セル内のすべてのＵＥを一度にシグナリングする共通制御スケジューリングがある。共通制御スケジューリング方式は、セル全体を介して共通スケジューリング許容情報をシグナリングする。基地局は、上記セルのＲＯＴレベルがＥ−ＤＣ
Ｈ伝送のための目標ＲＯＴレベルよりも高い場合に、データ送信率の減少を示すスケジューリング許容情報をすべてのＵＥへ伝送し、一方、送信率の増加を示すスケジューリング許容情報をすべてのＵＥへ伝送する。共通制御スケジューリング方式は、少ないシグナリングチャンネル及び伝送電力を必要とするので、シグナリングオーバーヘッドを減少させるが、各ＵＥを優先順位やサービスされるデータのＱｏＳに従って個別的にスケジューリングすることができない。
【００３３】
本発明の望ましい実施形態では、スケジューリング許容情報を共通シグナリング方式と専用スケジューリング方式とを使用して伝送する。すなわち、基地局は、スケジューリング周期ごとに、各ＵＥの要求データ送信率及びＵＥ状態情報に基づいて、各ＵＥの送信率を決定した後に、上記スケジューリング許容情報が専用シグナリング方式を使用して伝送されるか、又は共通シグナリング方式を使用して伝送されるかを決定する。まず、ＵＥは、専用チャンネルを介して自身に与えられた専用スケジューリング許容情報が存在するか否かを検査し、該当ＵＥへ送信された専用スケジューリング許容情報が存在しない場合に、共通チャンネルから共通スケジューリング許容情報を読み出す。
【００３４】
図２Ａ及び図２Ｂは、本発明の望ましい実施形態によるすべてのＵＥへの個別的なスケジューリング許容情報の送信と一部のＵＥへの共通的なスケジューリング許容情報の送信とを比較した図である。ＵＥへ伝送されたＡＧの一例を図２Ａ及び図２Ｂに示す。
図２Ａを参照すると、基地局２０１は、Ｅ−ＤＣＨデータの伝送をスケジューリングするために、拡張された上りリンク絶対許容情報チャンネルＥ−ＡＧＣＨ（Enhanced  uplink  Absolute  Grant  Channel）２０２を介してＡＧを伝送する。このとき、Ｅ−ＤＣＨを使用する５個のＵＥ２０３乃至２０７（ＵＥ１乃至ＵＥ５）が存在するので、Ｅ−ＡＧＣＨ２０２は、ＵＥの固有のチャンネルコード又はＵＥの固有のＴＴＩを有する個別的な５つのチャンネルＥ−ＡＧＣＨ１乃至Ｅ−ＡＧＣＨ５に区分される。スケジューリング周期ごとに、基地局２０１は、ＵＥ１乃至ＵＥ５のための送信率を決定して、それぞれの送信率を示すＡＧをＵＥ１乃至ＵＥ５のそれぞれへチャンネルＥ−ＡＧＣＨ１乃至Ｅ−ＡＧＣＨ５を介して伝送する。従って、この場合に、ＴＴＩごとに、それぞれのＡＧを伝送するための最大５個のチャンネルを必要とする。
【００３５】
優先順位が高い１つのＵＥ、例えば、ＵＥ５が高い送信率を要求する場合に、基地局２０１は、ＵＥ５に高い送信率を割り当てるが、ＵＥ１乃至ＵＥ４に共通的に低い送信率を割り当てる。従って、図２Ｂに示すように、共通シグナリングは、ＵＥ１乃至ＵＥ４に使用される。
図２Ｂを参照すると、基地局２０１は、高い優先順位を有するＵＥ５に専用シグナリングチャンネルＥ−ＡＧＣＨ５を介して高い送信率を割り当て、残りのＵＥ１乃至ＵＥ４に共通シグナリングチャンネルＥ−ＡＧＣＨ２０９を介して共通的に低い送信率を割り当てる。このように、一部のＵＥに送信率を一括的に通知すると、同時に伝送されるべきチャンネルの数は、図２Ａの５つに比べて２つに減少される。
【００３６】
［第１実施形態］
ＵＥの上りリンク送信率がＡＧによって制御されるシステムにおいて、無線網制御器（Radio  Network  Controller：ＲＮＣ）は、各ＵＥに共通ＵＥ−ＩＤ及び専用ＵＥ−ＩＤを割り当て、基地局は、各ＵＥに共通ＵＥ−ＩＤ又は専用ＵＥ−ＩＤを用いて上記ＡＧを伝送する。
【００３７】
図３は、本発明の第１実施形態によるＡＧを伝達するためのＥ−ＡＧＣＨのデータ構成を示す図である。
図３を参照すると、ＡＧ３０２は、割り当てられた最大の許容送信率の絶対値を示し、ＣＲＣフィールド３０４は、ＵＥ−ＩＤでマスキングされたＣＲＣを提供する。ＣＲＣフィールド３０４が特定のＵＥ−ＩＤでマスキングされるので、ＡＧ３０２は、上記ＵＥ−ＩＤを有するＵＥのみによって復号され、異なるＵＥ−ＩＤを有するＵＥでは、ＣＲＣエラーによって無視される。ＣＲＣフィールド３０４の代りに、上記特定のＵＥ−ＩＤが含まれることができる。
【００３８】
ＵＥがＥ−ＡＧＣＨを介して自身に伝送されたＡＧを確認する方法には、次のような２種類の方法がある。一番目に、上記Ｅ−ＡＧＣＨは、上述したように、ＵＥ−ＩＤでマスキングされたＣＲＣを使用して構成される。従って、ＵＥは、上記ＣＲＣを使用してＣＲＣ検査を遂行する。二番目に、上記Ｅ−ＡＧＣＨは、共通ＣＲＣ及びＥ−ＡＧＣＨデータに挿入されたＵＥ−ＩＤを有するように構成される。この場合に、上記ＣＲＣ検査によってエラーのないＥ−ＡＧＣＨデータを取得した後に、ＵＥは、上記Ｅ−ＡＧＣＨデータを読み出してＵＥ−ＩＤを確認することによって、自身に伝送されたＡＧであるか否かを判断する。
【００３９】
１つのＵＥのＥ−ＤＣＨ通信が開始するに当たり、ＲＮＣは、上位階層シグナリングによって、上記共通ＵＥ−ＩＤ及び上記専用ＵＥ−ＩＤのすべてをＵＥに割り当てる。このとき、ＲＮＣは、基地局のスケジューリング方式及びＵＥのＥ−ＤＣＨサービス種類に従って、セル内のすべてのＵＥに１つの共通ＵＥ−ＩＤを設定するか、又は、上記同一のサービス種類を有するＵＥのグループ別に共通ＵＥ−ＩＤを設定する。このような上位階層シグナリングを介して、１つのセルの一部又は全体のＵＥに共通ＩＤを設定すると、基地局は、スケジューリングの効率性を向上させるために、上記共通ＵＥ−ＩＤで共通シグナリングを遂行することができる。
【００４０】
また、スケジューリング許容情報を伝送するのに使用されるＵＥ−ＩＤの以外に、基地局がＵＥの送受信動作を制限する必要がある場合に、ＲＮＣは、ＵＥに共通制御情報を提供するための共通制御ＵＥ−ＩＤを付加的に設定することができる。すなわち、下記表１に示すように、各基地局の状況に従って必要な場合に、ＲＮＣは、上記ＵＥ−ＩＤを割り当てる。
【００４１】
【表１】
0004920721.tif 000003
ここで、上記共通制御情報は、ＵＥのＥ−ＤＣＨ送信のためのスケジューリング許容情報ではなく、基地局の状況に従ってＵＥの動作を制御するのに使用される。例えば、表２のように構成することができる。表２は、共通制御情報が５ビットである場合に、共通制御情報のフィールド値に従う制御情報の一例を示す。
【００４２】
【表２】
0004920721.tif 000004
表３は、専用ＵＥ−ＩＤを用いて伝送されたＡＧの構成を示す。
【００４３】
【表３】
0004920721.tif 000005
表４は、共通ＵＥ−ＩＤを用いて伝送されたＡＧの構成を示す。
【００４４】
【表４】
0004920721.tif 000006
表４に示すような構成を有するＡＧを受信したＵＥは、ＡＬＬ＿ＵＥ＿ｉｎｄｉｃａｔｏｒの値に従って動作する。このとき、ＵＥが上記ＡＬＬ＿ＵＥ＿ｉｎｄｉｃａｔｏｒを解析する方法は、下記表５のように定義される。
【００４５】
【表５】
0004920721.tif 000007
【００４６】
スケジューリング周期ごとに、Ｅ−ＤＣＨサービスのために通信しているＵＥのＡＧ及びシグナリング方式を決定する。ここで、上記シグナリング方式は、システムの設計及び実現に基づいて決定される。一つの実施形態において、基地局は、１つのセルで同一のＡＧを有するＵＥの数が所定の値と同一であるか、またはそれ以上である場合に、上記ＡＧを伝送するために共通シグナリング方式を選択する。他の実施形態として、基地局は、特定のＵＥグループに同一のＡＧを割り当て、上記ＵＥグループに共通シグナリング方式を用いて、上記ＡＧを伝送することに決定する。残りのＵＥのためには、専用シグナリング方式を選択する。
【００４７】
ここで、特定のＵＥグループとは、類似した状態情報を報告するＵＥや同一のＱｏＳを有するＵＥ、又は同一のサービス種類に従うＵＥを含むことができる。すなわち、基地局は、特定の条件に従ってＵＥグループをまず設定し、上記ＵＥグループに対して上記ＡＧを決定した後に、共通シグナリング方式を用いて、上記ＵＥグループに上記ＡＧを伝送する。一旦、上記シグナリング方式が決定されると、基地局は、上記決定されたシグナリング方式に従って、専用又は共通ＵＥ−ＩＤでマスキングされたＣＲＣとともに上記ＡＧを伝送する。
【００４８】
以下、図４を参照して、本発明の第１実施形態によるＵＥの動作を詳細に説明する。
図４は、共通ＵＥ−ＩＤ、専用ＵＥ−ＩＤ、及び共通制御ＵＥ−ＩＤをすべて有しているＵＥの動作を示すフローチャートである。基地局がＵＥに共通ＵＥ−ＩＤ及び専用ＵＥ−ＩＤを用いてＡＧを伝送し、上記共通制御ＵＥ−ＩＤによって共通制御情報をＵＥへ伝送する場合に、ＵＥは、上記ＵＥ−ＩＤに対して受信の優先順位を決定して動作する。すなわち、基地局が緊急状態でＵＥの送信を制御するために共通制御情報を伝送するので、ＵＥは、共通制御ＵＥ−ＩＤを用いて共通制御情報が存在するか否かをチェックする。
【００４９】
図４を参照すると、ステップ４０２で、ＵＥは、Ｅ−ＡＧＣＨを介してＥ−ＡＧＣＨデータを受信する。ＵＥは、ステップ４０４で、共通制御ＵＥ−ＩＤを使用して上記Ｅ−ＡＧＣＨデータのＣＲＣをチェックし、ステップ４０６へ進行して、上記ＣＲＣ検査に成功したか否かを判断する。具体的に、ＵＥは、上記Ｅ−ＡＧＣＨデータをシグナリング情報とマスキングされたＣＲＣとに区分し、上記マスキングされたＣＲＣを上記共通制御ＵＥ−ＩＤで逆マスキングすることによって、元来のＣＲＣを取得した後に、上記元来のＣＲＣを使用して上記シグナリング情報のエラーの有無を検査する。上記ＣＲＣ検査に成功すると、上記Ｅ−ＡＧＣＨデータが共通制御情報を含むことを意味するので、ステップ４０８で、ＵＥは、上記共通制御情報を解析する。
【００５０】
ステップ４０８での確認の結果、上記共通制御情報が送信率を１ステップずつ減少させるか、又は、最小の送信率に変更することを要求する送信制限情報である場合に、ＵＥは、ステップ４１２で、上記共通制御情報に基づいて、Ｅ−ＤＣＨデータ送信率を制限する。このとき、ＵＥは、専用ＵＥ−ＩＤ又は共通ＵＥ−ＩＤを介したＡＧの受信を試みない。一方、ステップ４０６で、上記ＣＲＣ検査に失敗したか、又は、ステップ４０８で、共通制御情報が送信制限情報と無関係な情報（例えば、送信率要求）である場合に、ＵＥは、ステップ４１０で、上記専用ＵＥ−ＩＤを用いて上記Ｅ−ＡＧＣＨデータのＣＲＣをチェックする。
【００５１】
ステップ４１４で、上記ＣＲＣ検査の結果として、専用ＵＥ−ＩＤを用いて伝送されたＡＧが存在する場合に、ステップ４１６で、ＵＥは、Ｅ−ＤＣＨの最大の許容送信率を上記ＡＧが示す送信率に更新し、ステップ４２６で、上記更新された最大の許容送信率の範囲内で、最終的なＥ−ＤＣＨデータ送信率を決定する。上記最終的な送信率は、ＵＥが伝送するデータの量及びＵＥの状態情報に従って、上記最大の許容送信率内で選択される。
【００５２】
一方、ステップ４１４で、上記ＣＲＣ検査が失敗した場合に、すなわち、上記専用ＵＥ−ＩＤを使用して伝送されたＡＧが存在しない場合に、ＵＥは、ステップ４１８で、上記共通ＵＥ−ＩＤを使用して上記Ｅ−ＡＧＣＨデータのＣＲＣ検査を遂行する。ステップ４２０での確認の結果、上記ＣＲＣ検査が成功してＡＧを取得した場合に、ステップ４２２で、ＵＥは、上記ＡＧに従って最大の許容送信率を更新し、ステップ４２６で、上記更新された最大の許容送信率内で最終的なＥ―ＤＣＨデータ送信率で決定する。このとき、上記最終的なデータ送信率は、ＵＥが伝送するデータの量及びＵＥの状態情報に従って、上記最大の許容送信率内で選択される。一方、ステップ４２０で、上記ＣＲＣ検査が失敗した場合に、ＵＥは、ステップ４２４で、Ｅ−ＤＣＨデータを伝送しないか、又は、自律送信モード（autonomous  transmission  mode）で動作する。
【００５３】
ステップ４２２をさらに詳細に説明すると、次の通りである。すなわち、ステップ４２２で、ＵＥは、上記ＡＧに設定されたＡＬＬ＿ＵＥ＿ｉｎｄｉｃａｔｏｒを読み出す。上記ＡＬＬ＿ＵＥ＿ｉｎｄｉｃａｔｏｒが１である場合に、すべてのＵＥに割り当てられたデータ送信率を適用することを意味するので、ＵＥは、最大の許容送信率を上記ＡＧが示したデータ送信率に更新する。一方、ＡＬＬ＿ＵＥ＿ｉｎｄｉｃａｔｏｒが０である場合に、ステップ４２２で、ＵＥは、以前のＴＴＩでデータを伝送したか否かを確認して、以前のＴＴＩでデータを伝送しなかった場合にのみ、最大の許容送信率を上記共通ＵＥ−ＩＤを介して伝送されたＡＧに設定されたＥ−ＴＦＩが示すデータ送信率に更新する。図示していないが、ステップ４２２で、ＵＥが以前のデータを伝送した場合に、ステップ４２４へ進行する。
【００５４】
図５は、本発明の第１実施形態による基地局のＥ−ＡＧＣＨデータを伝送する送信装置のブロック図である。
図５を参照すると、スケジューラー５０２は、上りリンクデータの伝送をスケジューリングするために、ＲＮＣが割り当てた専用ＵＥ−ＩＤ及び共通ＵＥ−ＩＤを保存する。スケジューラー５０２は、上記ＵＥのバッファ状態及び電力状態とセルのＲＯＴレベルとに従って、Ｅ−ＤＣＨサービスを遂行しようとするＵＥに最大の許容送信率を割り当て、上記最大の許容送信率に従ってシグナリング方式を決定し、上記決定されたシグナリング方式に従って、専用ＵＥ−ＩＤ又は共通ＵＥ−ＩＤをＣＲＣ生成器５０４へ提供する。例えば、スケジューラー５０２は、上記割り当てられた最大の許容送信率と同一の最大の許容送信率の割当を受けたＵＥの数が所定数以上である場合に、共通シグナリング方式を決定して、共通ＵＥ−ＩＤをＣＲＣ生成器５０４へ提供する。他の場合に、スケジューラー５０２は、あらかじめ決定されたＵＥグループに同一のデータ送信率を割り当て、上記ＵＥグループに対して共通シグナリング方式を選択する。
【００５５】
送信率情報生成器５０６は、上記割り当てられた最大の許容送信率に従ってＡＧを生成し、ＣＲＣ生成器５０４は、上記ＡＧに対して上記専用ＵＥ−ＩＤ又は共通ＵＥ−ＩＤでマスキングされたＣＲＣを生成する。ＣＲＣ付加器５０８は、上記ＡＧに上記マスキングされたＣＲＣを付加する。上記マスキングされたＣＲＣは、上記ＵＥ−ＩＤを含むので、ＵＥ−ＩＤ特定ＣＲＣ（ＵＥ−ＩＤ−ｓｐｅｃｉｆｉｃＣＲＣ）とも称する。上記マスキングされたＣＲＣ及び上記ＡＧは、信頼性を向上させるために、符号化器５１０にて符号化された後に、変調器５１２によって変調され、上記変調されたデータは、拡散器５１
４でＥ−ＡＧＣＨのチャンネルコードＣＡＧで拡散される。マルチプレクサー（ＭＵＸ）５１６は、上記拡散されたＥ−ＡＧＣＨデータを他のチャンネルの拡散されたデータと多重化して伝送する。
【００５６】
図６は、本発明の第１実施形態によるＵＥのＥ−ＡＧＣＨデータを受信する受信装置のブロック図である。上記受信装置の構成は、共通制御情報を除外したＡＧの受信に限定される。
図６を参照すると、受信信号は、逆拡散器６１２でＥ−ＡＧＣＨチャンネルコードＣＡＧで逆拡散され、復調器６１０によって復調された後に、復号器６０８で復号される。ＣＲＣ検出器６０６は、上記復号されたデータからマスキングされたＣＲＣを抽出する。ＣＲＣ検査器６１４は、Ｅ−ＤＣＨ制御器６０２からＵＥに対する専用ＵＥ−ＩＤ及び共通ＵＥ−ＩＤのすべてを受信する。まず、スケジューリング周期ごとに、上記専用ＵＥ−ＩＤを使用して上記マスキングされたＣＲＣを逆マスキングして、上記復号されたデータに対するＣＲＣ検査を遂行する。上記ＣＲＣ検査の結果、エラーが発生した場合には、ＣＲＣ検査器６１４は、共通ＵＥ−ＩＤを使用して上記マスキングされたＣＲＣを逆マスキングすることによって、上記復号されたデータに対するＣＲＣ検査を遂行する。
【００５７】
ＣＲＣ検査器６１４は、ＣＲＣ検出器６０６へ上記ＣＲＣ結果を伝達する。ＣＲＣ検出器６０６は、少なくとも１つのＵＥ−ＩＤがＣＲＣ検査に成功した場合、上記復号されたデータのうち、上記マスキングされたＣＲＣを除いたＡＧを送信率情報判断器６０４へ伝達し、ＵＥ−ＩＤのすべてがＣＲＣ検査に失敗した場合に、上記復号されたデータを廃棄する。このとき、ＣＲＣ検出器６０６は、上記ＡＧが専用ＵＥ−ＩＤにより解析されたか、あるいは、共通ＵＥ−ＩＤにより解析されたかを送信率情報判断器６０４へ提供する。送信率情報判断器６０４は、上記ＡＧが専用ＵＥ−ＩＤに関連したものか、あるいは、共通ＵＥ−ＩＤに関連したものかに従って上記ＡＧから最大の許容送信率を更新し、上記更新された最大の許容送信率をＥ−ＤＣＨ制御器６０２へ伝達して、Ｅ−ＤＣＨデータを伝送する。
【００５８】
［第２実施形態］
ＵＥの上りリンク送信率が増加（ＵＰ）、減少（ＤＯＷＮ）、又は維持（ＫＥＥＰ）を示す相対送信率情報（ＲＧ）によって制御されるシステムにおいて、ＲＮＣは、ＵＥに共通コード及び専用コードを割り当て、基地局は、必要に従って、各ＵＥに専用コードを用いて上記ＲＧを伝送するか、又は、共通コードを用いて、上記ＲＧを伝送する。
【００５９】
ＲＮＣは、直交コードをＵＥに割り当てるにあたり、上記ＲＧを受信することができるように、上位階層シグナリングを介して専用コード及び共通コードをすべて設定する。このとき、ＲＮＧは、各セルのすべてのＵＥに１つの共通コードを設定するか、又は、サービス種類に従って区分される１つのＵＥのグループに１つの共通コードを設定する。また、ＵＥは、基本的に専用コードを有する。ここで、類似した状態情報を報告するＵＥ、同一のＱｏＳを有するＵＥ、又は同一のサービス種類を有するＵＥは、１つのＵＥグループに含まれることができる。
【００６０】
基地局は、スケジューリング周期ごとに、Ｅ−ＤＣＨサービスのために通信しているＵＥのＲＧ及びシグナリング方式を決定する。ここで、上記シグナリング方式を決定する基準は、システムの設計及び実現に従って決定される。一実施形態として、基地局は、増加、減少、維持を示す多くのＲＧに対する共通シグナリングを選択する。他の実施形態として、基地局は、セル内の特定のＵＥグループの送信率を一括的に増加させるか又は減少させるために、共通シグナリング方式を選択し、残りのＵＥのためには、専用シグナリング方式を決定する。すると、基地局は、上記決定されたシグナリング方式に従って、直交コードでＲＧを拡散する。
【００６１】
図７は、本発明の第２実施形態によるＵＥの動作を示すフローチャートである。ここで、ＵＥは、専用コード及び共通コードの割当を受ける。
図７を参照すると、ステップ７０２で、ＵＥは、スケジューリング周期ごとに、直交コードで拡散されたＲＧを含むＥ−ＲＧＣＨ（Enhanced  uplink  Dedicated  Channel-Relative  Grant  channel）データを受信する。ステップ７０４で、ＵＥは、まず、専用コードを用いて上記Ｅ−ＲＧＣＨデータを解析することによって上記ＲＧを取得する。すると、ステップ７０６で、ＵＥは、上記ＲＧを読み出す。このとき、上記ＲＧは、下記表６のような意味を有する。
【００６２】
【表６】
0004920721.tif 000008
【００６３】
ステップ７０６で、上記ＲＧが増加（＋１）又は減少（−１）である場合に、ステップ７０８で、ＵＥは、上記ＡＧに従って、Ｅ−ＤＣＨの最大の許容送信率を所定のレベルだけ増加又は減少させる。一方、上記ＲＧが０である場合に、ステップ７１０で、ＵＥは、共通コードを用いて、上記Ｅ−ＲＧＣＨデータをさらに解析してＲＧを取得し、ステップ７１２で、上記ＲＧを読み出す。ステップ７１４で、ＵＥは、上記Ｅ−ＤＣＨの最大の許容送信率の増加、減少又は維持を行う。すなわち、ＵＥは、上記ＲＧが＋１である場合に、最大の許容送信率を増加させ、上記ＲＧが−１である場合に、最大の許容送信率を減少させる。上記ＲＧが０である場合に、最大の許容送信率を維持する。
【００６４】
図８は、本発明の第２実施形態による基地局のＥ−ＲＧＣＨデータを送信する送信装置のブロック図である。
図８を参照すると、スケジューラー８０２は、Ｅ−ＤＣＨサービスを遂行しようとするＵＥに上記ＵＥが報告したバッファ状態と電力状態及びセルのＲＯＴレベルを用いて最大の許容送信率を割り当てる。上記割り当てられた最大の許容送信率に従ってシグナリング方式を決定する。ＲＧ（RelativeGrant）生成器８０４は、上記割り当てられた最大の許容送信率をＵＥの現在の最大の許容送信率と比較することによって、＋１、０又は−１に設定されたＲＧを生成し、変調器８０６は、上記ＲＧを変調する。一方、ＲＧコード制御器８１４は、上記決定されたシグナリング方式に従って、上記ＲＧを伝送するための直交コードを選択する。上記直交コードは、共通シグナリング方式の場合、共通コードであり、専用シグナリング方式の場合、専用コードである。
【００６５】
乗算器８０８は、上記変調されたＲＧを上記選択された直交コードＳＲＧと乗じた後に、拡散器８１０は、Ｅ−ＲＧＣＨチャンネルコードＣＲＧで拡散して、Ｅ−ＲＧＣＨデータを生成する。マルチプレクサー８１２は、上記Ｅ−ＲＧＣＨデータを他のチャンネルの拡散されたデータと多重化して伝送する。
【００６６】
図９は、本発明の第２実施形態によるＵＥのＥ−ＲＧＣＨデータを受信する受信装置のブロック図である。
図９を参照すると、受信信号は、逆拡散器９１０でＥ−ＲＧＣＨチャンネルコードＣＲＧで逆拡散され、乗算器９０８で所定の直交コードＳＲＧと乗じられた後に、復調器９０６で復調される。ＲＧコード制御器９１２は、Ｅ−ＤＣＨ制御器９０２からＵＥの専用コード及び共通コードをすべて受信する。まず、スケジューリング周期ごとに、上記専用コードを乗算器９０８へ提供し、上記専用コードによって解析されたＲＧが‘維持’ではないと、ＲＧコード制御器９１２は、上記共通コードを乗算器９０８へ提供する。
【００６７】
ＲＧ情報識別器９０４は、上記専用コードで解析されたＲＧ値が‘０（維持）’であるか否かを判別し、上記ＲＧ値が‘０（維持）’ではない場合に、上記ＲＧに基づいた送信率増加又は送信率減少命令をＥ−ＤＣＨ制御器９０２へ提供する。Ｅ−ＤＣＨ制御器９０２は、上記送信率の増加又は減少命令に従って、現在の最大の許容送信率を増加又は減少させた後に、上記変更された最大の許容送信率の範囲内で、Ｅ−ＤＣＨ送信率を決定する。
【００６８】
上記ＲＧが専用コードで解析され、‘維持（ＫＥＥＰ）’を示すと、ＲＧ情報識別器９０４は、ＲＧコード制御器９１２に共通コードを設定することを要求する。ＲＧコード制御器９１２は、上記要求に従って乗算器９０８に共通コードを設定する。乗算器９０８は、同一のＥ−ＲＧＣＨデータを上記共通コードとさらに乗じて、復調器９０６は、その積を復調する。従って、得られた新たなＲＧがＲＧ情報識別器９０４へ提供され、Ｅ−ＤＣＨ制御器９０２は、ＲＧ情報識別器９０４による上記新たなＲＧの識別結果に従って、現在の最大の許容送信率を増加、維持、又は減少させる。
【００６９】
［第３実施形態］
本発明の第３実施形態は、上述した第１実施形態に従って動作するＵＥが、スケジューリング許容情報を運搬する拡張された上りリンク共通制御チャンネルＥ−ＳＧＣＨ（Enha
nced-Scheduling  Grant  Channel）を受信するとき、ＣＲＣ検査を遂行することによって、スケジューリング許容情報と共通制御情報とを識別する必要がないように、スケジューリング許容情報と共通制御情報とを示す指示子を使用する。
【００７０】
本発明の第１実施形態において、ＵＥは、ＣＲＣ検査にあたり、専用ＵＥ−ＩＤ及び共通ＵＥ−ＩＤを含む複数のＵＥ−ＩＤを使用する。これによって、実際のＴＴＩ別にスケジューリング許容情報を読み出さなければならないＵＥに受信動作の複雑さをもたらすことができる。このような短所を克服するために、本発明の第３実施形態では、Ｅ−ＳＧＣＨデータのヘッダー部分にスケジューリング許容情報又は共通制御情報を示す指示子を挿入して、ＣＲＣ検査動作の負担を低減させることができる。
【００７１】
図１０を参照して、本発明の第３の実施形態によるＥ−ＳＧＣＨデータの構成を詳細に説明する。
図１０を参照すると、参照符号１０００は、スケジューリング許容情報を含んでいるデータ（以下、‘スケジューリングデータ’と称する）を示し、参照符号１１００は、共通制御情報を含んでいるデータ（以下、‘共通制御データ’と称する）を示す。スケジューリングデータ１０００は、専用又は共通指示子（Dedicated  or  Common（D/C）indicator）１００２と、スケジューリング許容情報１００４と、ＵＥ−ＩＤを有するＣＲＣ・１００６とから構成され、共通制御データ１１００は、Ｄ／Ｃ１０１２と、共通制御情報１０１４と、ＵＥ−ＩＤ・１０１６を有しないＣＲＣとから構成される。
【００７２】
Ｄ／Ｃ１００２及び１０１２は、該当データがスケジューリング許容情報であるか、又は共通制御情報であるかを示す。例えば、上記Ｄ／Ｃが‘０’である場合に、共通制御情報を示し、上記Ｄ／Ｃが‘１’である場合に、スケジューリング許容情報を示す。ＵＥ−ＩＤ１００６を有するＣＲＣは、専用又は共通ＵＥ−ＩＤでマスキングされたＣＲＣである。共通制御情報１０１４は、基地局がＵＥの動作を制御するために使用され、ＵＥ−ＩＤを有しないＣＲＣ・１０１６は、いかなるＵＥ−ＩＤにもマスキングされない一般的なＣＲＣである。
【００７３】
本発明の第３実施形態によると、ＵＥは、受信されたＥ−ＳＧＣＨデータに含まれたＤ／Ｃを用いて、スケジューリング許容情報１００４又は共通制御情報１０１４が上記Ｄ／Ｃの次に来るか否かを判断する。上記判断の結果、上記Ｄ／Ｃがスケジューリング許容情報１００４を示す場合に、ＵＥは、ＵＥ−ＩＤ１００６を有するＣＲＣを用いて、スケジューリング許容情報１００４に対するＣＲＣ検査を遂行する。このとき、ＵＥは、まず、専用ＵＥ−ＩＤを用いてＣＲＣ検査を遂行した後に、共通ＵＥ−ＩＤを用いてＣＲＣ検査を遂行する。また、上記判断の結果、上記Ｄ／Ｃが共通制御情報１０１４を示す場合に、ＵＥは、ＵＥ−ＩＤ１０１６を有しないＣＲＣを用いて、共通制御情報１０１４に対するＣＲＣ検査を遂行する。このように、上記Ｄ／Ｃは、ＣＲＣ検査の以前に解析される。
すると、ＵＥは、上記スケジューリング許容情報を解析して、Ｅ−ＤＣＨの最大の許容送信率を決定するか、又は、上記共通制御情報を解析する。
【００７４】
［第４実施形態］
基地局制御スケジューリングによってＵＥの上りリンク送信率を制御するシステムにおいて、Ｅ−ＤＣＨ送信率を示すために、ＡＧを伝送するチャンネルとＲＧを伝送するチャンネルとが同時に設定されている場合に、スケジューラーは、上記データ送信率を２ステップ以上に急激に増加又は減少させるために、上記ＡＧを伝送するか、又は１ステップだけ上記データ送信率を増加／減少させるか、又は、維持させるために、上記ＡＧを伝送する。
【００７５】
第４実施形態でのシステムは、各ＵＥに共通ＵＥ−ＩＤ及び専用ＵＥ−ＩＤを割り当てる。そして、基地局は、必要に応じて、ＵＥに専用又は共通ＵＥ−ＩＤを用いてＡＧを伝送する。
第４実施形態において、専用ＵＥ−ＩＤによって伝送されたＡＧの構成は、本発明の第１実施形態での表３と同一である。一方、第４実施形態において、共通ＵＥ−ＩＤを用いて伝送されたＡＧの構成は、最大の許容送信率がＥ−ＴＦＩが示す送信率まで段階的に又は一度に変更されるか否かを示す指示子を含む。
表７は、共通ＵＥ−ＩＤを使用して伝送された上記ＡＧの構成を示す。
【００７６】
【表７】
0004920721.tif 000009
表７において、ＡＬＬ＿ＵＥ＿ｉｎｄｉｃａｔｏｒは、表８のように定義される。
【００７７】
【表８】
0004920721.tif 000010
表７において、Ｒａｍｐｉｎｇ＿ｉｎｄｉｃａｔｏｒは、表９のように定義される。
【００７８】
【表９】
0004920721.tif 000011
【００７９】
第４実施形態において、専用ＵＥ−ＩＤを用いてＡＧを受信する場合に、具体的な動作は、第１実施形態の場合と同一である。一方、上記共通ＵＥ−ＩＤを用いてＡＧを受信する場合に、ＵＥは、上記Ｒａｍｐｉｎｇ＿ｉｎｄｉｃａｔｏｒに従って、Ｅ−ＴＦＩが示す送信率まで段階的に最大の許容送信率を変更するか、又は、一度に変更する。また、上記ＡＬＬ＿ＵＥ＿ｉｎｄｉｃａｔｏｒに従って、データが前に伝送されなかった場合にのみ上記Ｅ−ＴＦＩを適用するか、あるいは、常にＥ−ＴＦＩを適用する。
【００８０】
複数のＵＥがＡＧを受信して、上記ＡＧが示す目標送信率まで最大の許容送信率を一度に増加させると、ひどい干渉を発生することがある。従って、共通ＵＥ−ＩＤを有するＡＧを受信したＵＥは、上記ＡＧに含まれたＲａｍｐｉｎｇ＿ｉｎｄｉｃａｔｏｒに従って、最大の許容送信率を目標送信率まで複数のＴＴＩにわたって段階的にデータ送信率を変更することによって、干渉の発生を最小化する。しかしながら、共通ＵＥ−ＩＤを有するＡＧが示す目標送信率が現在の最大の許容送信率よりも低い場合に、該当ＵＥは、上記目標送信率まで上記最大の許容送信率を一度に減少させる。
【００８１】
ＵＥが、共通ＵＥ−ＩＤを有するＡＧを受信して目標送信率まで段階的に最大の許容送信率を増加させる場合に、ＲＧは、意味がない。従って、ＵＥは、ＲＧを受信しないか、又は、受信されたＲＧを廃棄する。一方、専用ＵＥ−ＩＤを使用してＡＧを受信する場合に、ＵＥは、目標送信率まで最大の許容送信率を一度に増加させた後に、次のＴＴＩで受信されたＲＧに従って、最大の許容送信率を更新する。
【００８２】
本発明の第４実施形態の理解を助けるために、必要なＡＧの構成及びこれに関連した基地局及びＵＥの動作について説明する。
第４実施形態において、ＡＧを含むＥ−ＡＧＣＨデータの構成は、上述した図３の場合と同一である。すなわち、先行するＡＧ３０２は、割り当てられた最大の許容送信率の絶対値を示し、次のＵＥ−ＩＤ３０４を有するＣＲＣは、共通チャンネルを介して伝送されたＡＧ３０２が適用されるＵＥをＣＲＣ検査を通して識別するのに使用される。また、基本的に、ＵＥは、ＡＧ３０２のエラーをＣＲＣ３０４を使用して確認することができる。ＵＥ−ＩＤを有するＣＲＣ３０４がＵＥ−ＩＤでマスキングされるので、相互に異なるＵＥ−ＩＤを有するＵＥのＣＲＣ検査では、エラーが発生する。従って、該当ＵＥ−ＩＤの割当を受けたＵＥのみがＡＧ３０２を取得する。
【００８３】
ＵＥがＥ−ＡＧＣＨを介して自身に伝送されたＡＧを確認する方法には、次の２種類がある。一番目は、上述したように、ＵＥ−ＩＤでマスキングされたＣＲＣを用いるＣＲＣ検査方法を介して各ＵＥへ伝送されたＡＧを識別する方法である。二番目に、ＵＥ−ＩＤでマスキングされないＣＲＣを使用するが、上記Ｅ−ＡＧＣＨデータにＵＥ−ＩＤを付加的に挿入する。このような場合に、ＵＥは、ＣＲＣ検査を行って、エラーのないＥ−ＡＧＣＨデータを取得した後に、上記Ｅ−ＡＧＣＨデータを読み出してＵＥ−ＩＤを確認する。
上述したように、共通シグナリング方式と専用シグナリング方式とを同時に使用するにあたり、ＡＧを伝送するために、ＲＮＣは、Ｅ−ＤＣＨを設定しようとする各ＵＥに共通ＵＥ−ＩＤ及び専用ＵＥ−ＩＤを上位階層シグナリングを介して割り当てる。また、スケジューリングのための上記共通ＵＥ−ＩＤ及び専用ＵＥ−ＩＤの以外に、基地局がＵＥの送受信動作を制限するための共通制御情報を伝送するために、共通制御ＵＥ−ＩＤが付加的に設定されることができる。
【００８４】
ＲＮＣは、基地局スケジューリング方式及びＵＥのＥ−ＤＣＨサービス種類などのような環境を考慮して、各セル内のすべてのＵＥに同一の共通ＵＥ−ＩＤを設定するか、又は、一部のＵＥを含むＵＥグループ別に共通ＵＥ−ＩＤを設定する。ここで、ＵＥグループは、類似した状態情報を報告するＵＥ、同一のＱｏＳを有するＵＥ、又は同一のサービス種類を有するＵＥを含むことができる。
【００８５】
スケジューリング周期ごとに、基地局は、各ＵＥのＡＧ及びシグナリング方式を決定する。上記シグナリング方式を決定する基準は、システムの設計及び基地局スケジューラーの実現に従って決定される。一つの実施形態において、基地局は、１つのセルで同一のＡＧを有するＵＥの数が、あらかじめ決定された値よりも大きいか、又は同一である場合に、上記ＡＧを伝送するために共通シグナリング方式を選択する。他の実施形態として、基地局は、特定のＵＥグループに属するＵＥに同一のＡＧを割り当て、共通ＵＥ−ＩＤによって上記ＵＥグループへ上記ＡＧを伝送することに決定する。セルのロードが少なくて、スケジューリングされるＵＥの数が少ない場合に、基地局は、共通ＵＥ−ＩＤを使用して、上記セル内のすべてのＵＥへＡＧを伝送することができる。一旦、ＡＧ及びシグナリング方式が決定されると、基地局は、専用又は共通ＵＥ−ＩＤでマスキングされたＣＲＣとともに上記ＡＧをＵＥへ伝送する。
【００８６】
図１１は、本発明の第４実施形態によるＵＥの動作を示すフローチャートである。
図１１を参照すると、ステップ１１０２で、ＵＥは、スケジューリング周期ごとに、Ｅ−ＡＧＣＨデータを受信する。ＵＥは、ステップ１１０４で、まず共通制御ＵＥ−ＩＤを用いて上記Ｅ−ＡＧＣＨデータに対するＣＲＣ検査を遂行して、ステップ１１０６で、上記ＣＲＣ検査に成功したか否かを判断する。上記ＣＲＣ検査に成功した場合に、上記Ｅ−ＡＧＣＨデータが共通制御情報を含むことを意味する。従って、ステップ１１０８で、ＵＥは、上記Ｅ−ＡＧＣＨの共通制御情報を解析する。
【００８７】
上記確認の結果、上記共通制御情報が送信率を１ステップずつ低くするか、又は、最小の送信率に変更することを示す送信制限情報である場合に、ＵＥは、ステップ１１１２で、上記共通制御情報に従ってＥ−ＤＣＨ送信率を制限する。このとき、ＵＥは、専用ＵＥ−ＩＤ又は共通ＵＥ−ＩＤによってＡＧを受信することを試みない。しかしながら、ステップ１１０６で、ＣＲＣ検査に失敗したか、又は、ステップ１１０８で、上記共通制御情報が送信制限情報に無関係な情報（例えば、送信率要求）である場合に、ステップ１１１０で、ＵＥは、専用ＵＥ−ＩＤを用いて上記Ｅ−ＡＧＣＨデータに対するＣＲＣ検査を遂行する。
【００８８】
ステップ１１１４で、上記ＣＲＣ検査の結果として、上記専用ＵＥ−ＩＤを用いて伝送されたＡＧが存在すると判断された場合に、ステップ１１１６で、ＵＥは、上記Ｅ−ＤＣＨに対する最大の許容送信率を上記ＡＧが示すデータ送信率に更新し、ステップ１１２６で、次のＴＴＩでＲＧを受信することができるように、ＲＧ受信モードをＯＮに設定する。一方、ステップ１１１４で、ＣＲＣ検査に失敗した場合、すなわち、上記専用ＵＥ−ＩＤによって伝送されたＡＧが存在しない場合に、ＵＥは、ステップ１１１８で、上記共通ＵＥ−ＩＤを用いて上記Ｅ−ＡＧＣＨデータに対するＣＲＣ検査を遂行する。ステップ１１２０で、上記ＣＲＣ検査に成功してＡＧを取得すると、ステップ１１２２で、ＵＥは、上記ＡＧに従って最大の許容送信率を更新し、ステップ１１２８で、次のＴＴＩでＲＧを受信しないようにＲＧ受信モードをＯＦＦに設定する。
【００８９】
ステップ１１２２をさらに詳細に説明すると、次の通りである。すなわち、ステップ１１２２で、ＵＥは、まず、上記ＡＧに含まれたＡＬＬ＿ＵＥ＿ｉｎｄｉｃａｔｏｒを読み出す。上記ＡＬＬ＿ＵＥ＿ｉｎｄｉｃａｔｏｒが１である場合に、これは、すべてのＵＥに上記ＡＧが適用されることを意味するので、ＵＥは、上記最大の許容送信率を上記ＡＧが示す送信率（ＲＡＴＥ＿ＡＧと称する）に更新する。一方、上記ＡＬＬ＿ＵＥ＿ｉｎｄｉｃａｔｏｒが０である場合に、ＵＥは、以前のＴＴＩでデータを伝送するか否かをチェックする。ＵＥが以前のＴＴＩでデータを伝送しない場合に、上記最大の許容送信率をＲＡＴＥ＿ＡＧに更新して、ステップ１１２８へ進行する。図示していないが、ステップ１１２２で、ＵＥが以前のＴＴＩでデータを伝送する場合に、ステップ１１２４で、以前の最大の許容送信率を維持する。
【００９０】
このとき、ステップ１１２２で、最大の許容送信率を増加させる場合に、ＵＥは、上記ＡＧに含まれたＲａｍｐｉｎｇ＿ｉｎｄｉｃａｔｏｒを読み出す。上記Ｒａｍｐｉｎｇ＿ｉｎｄｉｃａｔｏｒが０である場合に、ＵＥは、上記ＡＧに含まれたＥ−ＴＦＩが示す送信率まで、一度に最大の許容送信率を増加させる。上記Ｒａｍｐｉｎｇ＿ｉｎｄｉｃａｔｏｒが１である場合に、ＵＥは、上記Ｅ−ＴＦＩが示す送信率まで最大の許容送信率を段階的に増加させる。
【００９１】
一方、ステップ１１２０で、上記ＣＲＣ検査が失敗した場合には、共通ＵＥ−ＩＤに基づいたＡＧが伝送されないことを意味する。従って、ＵＥは、ステップ１１２４で、以前の最大の許容送信率を維持する。この場合に、何のＡＧも受信しておらず、従って、ＵＥは、送信率の決定のために、ＲＧを受信する。
【００９２】
図1２を参照して、図１１に示した手順にて、最大の許容送信率を更新したＵＥが上りリンクデータを伝送するための実際の送信率を決定する方法について説明する。
図１２を参照すると、ステップ１２０２で伝送されたＥ−ＤＣＨデータが発生すると、ＵＥは、ステップ１２０４で、現在の最大の許容送信率が専用ＵＥ−ＩＤを使用して更新されるか、又は共通ＵＥ−ＩＤを使用して更新されるかをチェックする。上記現在の最大の許容送信率が専用ＵＥ−ＩＤを用いて更新された場合には、ステップ１２０６へ進行する。ステップ１２０６で、ＵＥは、伝送されるデータ量及びＵＥの状態情報に基づいて、上記更新された最大の許容送信率内で実際の送信率を選択する。具体的に、伝送されるデータの多くの量及び十分な伝送電力が使用可能である場合に、ＵＥは、上記最大の許容送信率で上記データを伝送することができる。
【００９３】
図示していないが、上記現在の最大の許容送信率が上記共通ＵＥ−ＩＤを使用して更新される場合に、ＵＥは、上記共通ＵＥ−ＩＤを使用してＡＧのＲａｍｐｉｎｇ＿ｉｎｄｉｃａｔｏｒを読み出す。上記Ｒａｍｐｉｎｇ＿ｉｎｄｉｃａｔｏｒが０である場合に、ＵＥは、ステップ１２０６へ進行する。一方、上記Ｒａｍｐｉｎｇ＿ｉｎｄｉｃａｔｏｒが１である場合に、ＵＥは、ステップ１２０８で、以前のデータ送信率をあらかじめ設定された値デルタ（delta）に変更し、上記変更されたデータ送信率を現在の最大の許容送信率と比較する。上記デルタ値は、１つのＴＴＩで使用可能な送信率の最大変化量であり、上位シグナリングにより設定されるか、またはあらかじめ指定される。上記変更された送信率が上記最大の許容送信率よりも小さい場合に、ステップ１２１０で、ＵＥは、伝送されるデータの量及びＵＥの状態情報、例えば、電力マージンのような情報に基づいて、上記変更された送信率内で実際の送信率を選択する。一方、ステップ１２０８で、上記変更された送信率が上記最大の許容送信率以上である場合に、ステップ１２１２で、ＵＥは、伝送されるデータの量及びＵＥの状態情報、例えば、電力マージンのような情報に基づいて、上記最大の許容送信率内で実際の送信率を選択する。
【００９４】
本発明の第４実施形態において、ＡＧを伝送する基地局の送信装置及び上記ＡＧを受信するＵＥの受信装置は、第１実施形態の場合と同一であるので、図示及び詳細な説明を省略する。
【００９５】
［第５実施形態］
基地局制御スケジューリングによって、ＵＥの上りリンク送信率を制御するシステムにおいて、ＵＥは、ＡＧを受信するためのファストランピングＵＥ−ＩＤ（fast  ramping  ＵＥ−ＩＤ）とスローランピングＵＥ−ＩＤ（slowrampingＵＥ−ＩＤ）とを有する。ファストランピングＵＥ−ＩＤ及びスローランピングＵＥ−ＩＤは、専用シグナリング、又は共通シグナリングを使用して伝送される。また、ＵＥは、付加的な共通制御ＵＥ−ＩＤを有することができる。基地局は、上りリンクパケットデータの伝送をスケジューリングするために、ＡＧを伝送するチャンネル及びＲＧを伝送するチャンネルを同時に設定する。
【００９６】
ファストランピングＵＥ−ＩＤによってＡＧを受信すると、ＵＥは、最大の許容送信率を目標送信率まで一度に増加させてＲＧを受信する。スローランピングＵＥ−ＩＤによってＡＧを受信すると、ＵＥは、上記最大の許容送信率を目標送信率まで段階的に増加させて、ＲＧを受信しない。データ送信率を段階的に増加させるので、上記ＲＧは、ＵＥには意味がない。従って、スローランピングＵＥ−ＩＤによって上記ＡＧを受信する場合には、ＵＥは、ＲＧを受信することもなく、又は受信されたＲＧを廃棄することもない。一方、上記ファストランピングＵＥ−ＩＤによって上記ＡＧを受信した場合に、ＵＥは、最大の許容送信率を目標送信率まで一度に増加させた後に、次のＴＴＩでＲＧを受信してＥ−ＤＣＨを伝送する。
【００９７】
ＵＥのＥ−ＤＣＨ通信が開始されると、ＲＮＣは、基地局制御スケジューリング方式及びＵＥのＥ−ＤＣＨサービス種類を含む多様な環境を考慮して、上位階層シグナリングを介してセル内のＵＥにファストランピングＵＥ−ＩＤ及びスローランピングＵＥ−ＩＤのすべてを割り当てる。このとき、上記ＵＥ−ＩＤの割当ては、次のような方式にて考慮されることができる。
【００９８】
（１）ＲＮＣは、ファストランピングＵＥ−ＩＤを各ＵＥに割り当て、スローランピングＵＥ−ＩＤを各ＵＥグループに割り当てる。この場合に、本発明の第５実施形態に従う詳細な動作は、第４実施形態の場合と同一である。
（２）ＲＮＣは、ファストランピングＵＥ−ＩＤ及びスローランピングＵＥ−ＩＤを各ＵＥグループに割り当てる。
（３）ＲＮＣは、ファストランピングＵＥ−ＩＤ及びスローランピングＵＥ−ＩＤを各ＵＥに割り当てる。
（４）ＲＮＣは、ファストランピングＵＥ−ＩＤを各ＵＥグループに割り当て、スローランピングＵＥ−ＩＤを各ＵＥに割り当てる。ここで、上記ＵＥグループは、類似したＵＥの状態情報を報告するＵＥ、同一のＱｏＳを有するＵＥ、又は、同一のサービス種類を有するＵＥを含むことができる。
【００９９】
下記表１０は、本発明の第５実施形態で使用されるＵＥ−ＩＤを示す。
【表１０】
0004920721.tif 000012
【０１００】
図１３は、本発明の第５実施形態によるＵＥの動作を示すフローチャートである。ＵＥは、ファストランピングＵＥ−ＩＤ、スローランピングＵＥ−ＩＤ、及び共通制御ＵＥ−ＩＤのすべてを有しており、受信されたＡＧのＵＥ−ＩＤタイプに基づいて動作する。
図１３を参照すると、ステップ１３０２で、ＵＥは、スケジューリング周期ごとに、Ｅ−ＡＧＣＨデータを受信する。ＵＥは、ステップ１３０４で、まず、共通制御ＵＥ−ＩＤを用いて上記Ｅ−ＡＧＣＨデータに対するＣＲＣ検査を遂行し、ステップ１３０６で、上記ＣＲＣ検査に成功したか否かを判断する。上記ＣＲＣ検査が成功する場合に、上記Ｅ−ＡＧＣＨデータが共通制御情報を含むことを意味する。従って、ステップ１３０８で、ＵＥは、上記Ｅ−ＡＧＣＨデータの共通制御情報を解析する。
【０１０１】
ステップ１３０８での確認の結果、上記共通制御情報が送信率を１ステップずつ低くするか、又は、最小の送信率へ変更することを要求する送信制限情報である場合に、ＵＥは、ステップ１３１２で、上記共通制御情報に従って、Ｅ−ＤＣＨデータ送信率を制限する。この場合に、ＵＥは、ファストランピングＵＥ−ＩＤ又はスローランピングＵＥ−ＩＤによってＡＧの受信を試みない。一方、ステップ１３０６で、上記ＣＲＣ検査が失敗したか、又は、ステップ１３０８で、上記共通制御情報が送信制限情報と無関係な情報（例えば、送信率要求）である場合に、ＵＥは、ステップ１３１０で、上記ファストランピングＵＥ−ＩＤを用いて上記Ｅ−ＡＧＣＨデータに対するＣＲＣ検査を遂行する。
【０１０２】
ステップ１３１４で、上記ＣＲＣ検査の結果として、ファストランピングＵＥ−ＩＤを用いて伝送されたＡＧが存在すると判断される場合に、ステップ１３１６で、ＵＥは、上記Ｅ−ＤＣＨに対する最大の許容送信率を上記ＡＧが示すデータ送信率に更新し、ステップ１３２６で、次のＴＴＩでＲＧを受信することができるように、ＲＧ受信モードをＯＮに設定する。一方、ステップ１３１４で、上記ＣＲＣ検査に失敗した場合に、すなわち、上記専用ＵＥ−ＩＤによって伝送されたＡＧが存在しない場合に、ＵＥは、ステップ１３１８で、スローランピングＵＥ−ＩＤを用いて上記Ｅ−ＡＧＣＨデータに対するＣＲＣ検査を遂行する。
【０１０３】
ステップ１３２０で、上記ＣＲＣ検査が成功してＡＧを取得する場合に、ＵＥは、ステップ１３２２で、上記ＡＧに従って上記最大の許容送信率を更新し、ステップ１３２８で、次のＴＴＩでＲＧを受信しないか、又は、受信されたＲＧを無視するように、ＲＧ受信モードをＯＦＦに設定する。一方、ステップ１３２０で、上記ＣＲＣ検査が失敗した場合に、これは、上記スローランピングＵＥ−ＩＤに基づいたＡＧが伝送されなかったことを意味する。従って、ＵＥは、ステップ１３２４で、以前の最大の許容送信率を維持する。この場合には、何のＡＧも受信しておらず、従って、ＵＥは、送信率の決定のためにＲＧを受信する。
上述した手順を用いて、上記最大の許容送信率を設定したＵＥは、図１２に示した手順にて、実際のデータ伝送のための最終的なデータ送信率を決定する。
【０１０４】
本発明の第５実施形態に従って、基地局の構成及び動作は、本発明の第１実施形態の場合と類似している。図５を参照して、本発明の第５実施形態による基地局の動作について説明すると、次の通りである。
図５を参照すると、基地局スケジューラー５０２は、上りリンクデータの伝送をスケジューリングするのに使用するために、ＲＮＣが割り当てたファストランピングＵＥ−ＩＤ及びスローランピングＵＥ−ＩＤを保存する。スケジューラー５０２は、ＵＥが報告したバッファ状態及び電力状態とセルのＲＯＴレベルとに従って、Ｅ−ＤＣＨサービスを遂行しようとするＵＥに最大の許容送信率を割り当てる。また、スケジューラー５０２は、上記最大の許容送信率をＵＥへ通知するのに使用されたＵＥ−ＩＤを決定する。このとき、ＵＥがＲＧを受信するようにするためには、スケジューラー５０２は、ファストランピングＵＥ−ＩＤをＣＲＣ生成器５０４へ提供する。一方、ＵＥがＲＧを受信しないようにするためには、スケジューラー５０２は、スローランピングＵＥ−ＩＤをＣＲＣ生成器５０４へ提供する。これ以外に、他の基準に基づいて、スケジューラー５０２は、ファストランピングＵＥ−ＩＤ又はスローランピングＵＥ−ＩＤを選択することができる。
【０１０５】
送信率情報生成器５０６は、上記割り当てられた最大の許容送信率に従うＡＧを生成し、ＣＲＣ生成器５０４は、上記ＡＧに対して上記ファストランピングＵＥ−ＩＤ又はスローランピングＵＥ−ＩＤでマスキングされたＣＲＣを生成する。ＣＲＣ付加器５０８は、上記ＡＧに上記マスキングされたＣＲＣを付加する。上記マスキングされたＣＲＣは、上記ＵＥ−ＩＤを含むので、ＵＥ−ＩＤ特定ＣＲＣ（UE-ID-specificCRC）とも称する。上記マスキングされたＣＲＣ及び上記ＡＧは、符号化器５１０で符号化された後に、変調器５１２で変調される。上記変調されたデータは、拡散器５１４でＥ−ＡＧＣＨチャンネルコードＣＡＧで拡散される。マルチプレクサー（ＭＵＸ）５１６は、上記Ｅ−ＡＧＣＨデータを他のチャンネルの拡散されたデータと多重化して伝送する。
【０１０６】
一方、図示していないが、基地局は、基地局スケジューラー５０２によって決定された上記最大の許容送信率の変化を示すＲＧを生成し、上記ＲＧを変調し、上記ＵＥに対して割り当てられた直交コード及びＥ−ＲＧＣＨチャンネルコードを使用して上記ＲＧを伝送する。
【０１０７】
図１４は、本発明の第５実施形態によるＵＥの受信装置を示す。ここで、ＵＥの受信装置は、Ｅ−ＡＧＣＨデータ及びＥ−ＲＧＣＨデータを受信する。また、共通制御ＵＥ−ＩＤにより共通制御情報を受信する構成は省略する。
図１４を参照すると、受信信号は、逆拡散器１４０２でＥ−ＡＧＣＨチャンネルコードＣＡＧで逆拡散され、復調器１４０４により復調された後に、復号器１４０６によって復号される。ＣＲＣ検出器１４０８は、上記復号されたデータからマスキングされたＣＲＣを抽出する。Ｅ−ＤＣＨ制御器１４１２は、上りリンクデータの伝送をスケジューリングするために、ＲＮＣによって割り当てられたファストランピングＵＥ−ＩＤ及びスローランピングＵＥ−ＩＤを管理する。ＣＲＣ検査器１４１４は、Ｅ−ＤＣＨ制御器１４１２から上記ファストランピングＵＥ−ＩＤ及び上記スローランピングＵＥ−ＩＤをすべて受信し、まず、上記ファストランピングＵＥ−ＩＤを使用して、上記マスキングされたＣＲＣを逆マスキングすることによって、上記復号されたデータに対するＣＲＣ検査を遂行し、上記ＣＲＣ検査の結果が失敗した場合には、ＣＲＣ検査器１４１４は、上記スローランピングＵＥ−ＩＤを使用して、上記マスキングされたＣＲＣを逆マスキングすることによって、上記復号されたデータに対するＣＲＣ検査を遂行する。
【０１０８】
ＣＲＣ検査器１４１４は、上記ＣＲＣ結果をＣＲＣ検出器１４０８へ提供する。ＣＲＣ検出器１４０８は、少なくとも１つのＵＥ−ＩＤがＣＲＣ検査に成功した場合に、上記復号されたデータのうち、上記マスキングされたＣＲＣを除いたＡＧを送信率情報判断器１４１０へ提供する。上記ＵＥ−ＩＤが上記ＣＲＣ検査に失敗した場合に、ＣＲＣ検出器１４０８は、上記復号されたデータを廃棄する。このとき、ＣＲＣ検出器１４０８は、上記ＡＧが上記ファストランピングＵＥ−ＩＤに関連したものか、あるいは、スローランピングＵＥ−ＩＤに関連したものかを示すＩＤ情報を送信率情報判断器１４１０へ提供する。送信率情報判断器１４１０は、上記ＩＤ情報に従って、上記ＡＧを使用してＵＥの最大の許容送信率を更新し、上記更新された最大の許容送信率をＥ−ＤＣＨ制御器１４１２へ提供して、Ｅ−ＤＣＨデータを伝送する。
【０１０９】
一方、上記ＩＤ情報は、Ｅ−ＤＣＨ制御器１４１２へ提供される。Ｅ−ＤＣＨ制御器１４１２は、上記ファストランピングＵＥ−ＩＤに関連したＡＧが受信されたか、又は、上記スローランピングＵＥ−ＩＤに関連したＡＧが受信されたかに従って、上記ＲＧを受信するか否かを判断する。すなわち、上記ファストランピングＵＥ−ＩＤに関連したＡＧが受信される場合に、Ｅ−ＤＣＨ制御器１４１２は、ＲＧ受信モードをＯＮに設定する。上記スローランピングＵＥ−ＩＤに関連したＡＧが受信される場合に、Ｅ−ＤＣＨ制御器１４１２は、ＲＧ受信モードをＯＦＦに設定する。上記ＲＧ受信モードは、ＲＧ受信制御器１４３０へ提供される。
【０１１０】
ＲＧ受信制御器１４３０は、上記ＲＧ受信モードに従って第１のＲＧ受信スイッチ１４１８を制御する。第１のＲＧ受信スイッチ１４１８は、上記ＲＧ受信モードがＯＮである場合にのみ、受信信号を逆拡散器１４２０へ提供する。逆拡散器１４２０は、上記信号をＥ−ＲＧＣＨチャンネルコードＣＲＧで逆拡散し、上記逆拡散された信号は、ＵＥに割り当てられた直交コードＳＲＧと乗算器１４２２によって乗じられた後に、復調器１４２４により復調される。
【０１１１】
ＲＧ情報識別器１４２６は、復調器１４２４から受信されたＲＧが０（維持）であるか否かを判別し、上記ＲＧが‘維持’ではない場合に、上記ＲＧに従う送信率の増加又は送信率の減少命令を第２のＲＧ受信スイッチ１４２８を介してＥ−ＤＣＨ制御器１４１２へ提供する。第２のＲＧ受信スイッチ１４２８は、第１のＲＧ受信スイッチ１４１８と同様に、上記ＲＧ受信モードがＯＮである場合にのみ、上記増加又は減少命令をＥ−ＤＣＨ制御器１４１２へ提供する。送信率情報判断器１４１０から最大の許容送信率を受信していない場合に、Ｅ−ＤＣＨ制御器１４１２は、上記送信率の増加又は減少命令に従って、貯蔵されている最大の許容送信率を増加又は減少させた後に、上記変更された最大の許容送信率内でＥ−ＤＣＨ送信率を決定する。
【０１１２】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【符号の説明】
【０１１３】
２０１…基地局
２０３〜２０７…ＵＥ
３０２…ＡＧ
３０４…ＣＲＣフィールド
５０２，８０２…スケジューラ
５０４…ＣＲＣ生成器
５０６…送信率情報生成器
５０８…ＣＲＣ付加器
５１０…符号化器
５１２，８０６…変調器
５１４，８０８，８１０…拡散器
５１６，８１２…マルチプレクサー（ＭＵＸ）
６０２，９０２，１４１２…Ｅ−ＤＣＨ制御器
６０４…送信率情報判断器
６０６…ＣＲＣ検出器
６０８，１４０６…復号器
６１０，９０６，１４０４，１４２４…復調器
６１２，９１０，１４０２，１４２０…逆拡散器
６１４，１４０８…ＣＲＣ検査器
８０４…ＲＧ（Relative  Grant）生成器
８１４，９１２…ＲＧコード制御器
９０４，１４２６…ＲＧ情報識別器
９０８，１４２２…乗算器
１００２…専用又は共通指示子（Dedicated  or  Common（D/C）indicator）
１００４…スケジューリング許容情報
１００６…ＵＥ−ＩＤを有するＣＲＣ
１１００…共通制御データ
１０１２…Ｄ／Ｃ
１０１４…共通制御情報
１０１６…ＵＥ−ＩＤを有しないＣＲＣ
１４０２…逆拡散器
１４１４…ＣＲＣ検査器
１４１８…第１のＲＧ受信スイッチ
１４２８…第２のＲＧ受信スイッチ
１４３０…ＲＧ受信制御器
【図１】
0004920721.tif 000013
【図２Ａ】
0004920721.tif 000014
【図２Ｂ】
0004920721.tif 000015
【図３】
0004920721.tif 000016
【図４】
0004920721.tif 000017
【図５】
0004920721.tif 000018
【図６】
0004920721.tif 000019
【図７】
0004920721.tif 000020
【図８】
0004920721.tif 000021
【図９】
0004920721.tif 000022
【図１０】
0004920721.tif 000023
【図１１】
0004920721.tif 000024
【図１２】
0004920721.tif 000025
【図１３】
0004920721.tif 000026
【図１４】
0004920721.tif 000027